(57)【要約】【課題】  燃料電池の動作温度と燃料電池の水収支を考慮して燃料電池の出力を制御するようにした燃料電池システムを提供する。【解決手段】  燃料ガス（水素ガス）と酸化ガス（空気）との電気化学反応によって電気を発生する燃料電池システムにおいて、燃料電池の運転温度に対する該燃料電池の水収支が均衡する燃料電池の水収支出力を表す温度対水収支出力特性を記憶した記憶手段５０１と、燃料電池の運転温度を検出する温度センサ６１と、温度対水収支出力特性から検出した運転温度に対応する燃料電池の水収支出力を設定する出力設定手段５０２と、負荷からの要求出力が水収支出力を越えるときに、燃料電池の出力が水収支出力を越えないように発電を制御する出力制御手段５０３と、を備える。それにより、フラッディッングの発生を抑制することが可能となる。【選択図】    図２
2005285610.tif 000002
【特許請求の範囲】
【請求項１】
燃料ガスと酸化ガスとの電気化学反応によって電気を発生する燃料電池システムであって、
燃料電池の運転温度に対する該燃料電池の水収支が均衡する燃料電池の水収支出力を表す温度対水収支出力特性を記憶した記憶手段と、
前記燃料電池の運転温度を検出する温度センサと、
前記温度対水収支出力特性から検出した前記運転温度に対応する前記燃料電池の水収支出力を設定する出力設定手段と、
負荷からの要求出力が水収支出力を越えるときに、前記燃料電池の出力が前記水収支出力を越えないように発電を制御する出力制御手段と、
を備える燃料電池システム。
【請求項２】
前記水収支は、燃料電池内に導入される水及び燃料電池の生成水と、前記燃料電池内から外部に排出される水との差である請求項１記載の燃料電池システム。
【請求項３】
前記燃料電池の運転温度を該燃料電池のカソードガス出口部のガス温度又は該燃料電池の冷却水出口部の冷却水温度より得る請求項１又は２に記載の燃料電池システム。
【請求項４】
更に、前記燃料電池に冷却水を循環させて前記運転温度を調節する冷却水循環路にヒータを備える請求項１乃至３のいずれかに記載の燃料電池システム。
【請求項５】
更に、前記燃料電池の低温起動時にカソード側にドライエアを供給して前記燃料電池内部の水の排出を促すドライエア供給手段を備える請求項１乃至４のいずれかに記載の燃料電池システム。
【発明の詳細な説明】
【技術分野】
【０００１】
本発明は燃料電池に関し、特に、燃料電池の冷却水温度によって燃料電池の出力を制限するようにした燃料電池システムに関する。
【背景技術】
【０００２】
いわゆる固体高分子型の燃料電池では、電解質膜を保湿してイオン透過性を保つために加湿したガスを使用する。また、燃料電池内部で電気化学反応によって水が生成する。このため、燃料電池外部の温度が水の凝固点以下である状態で燃料電池の運転を停止すると、加湿ガスで供給された水と電気化学反応によって生成した水が凍り、体積膨張してＭＥＡ（膜電極複合体）等に不具合をもたらし得る。また、再起動の際に燃料電池性能低下をもたらす。そこで、特開２００３−１８７８４７号公報記載の燃料電池では低温始動時に加湿器をバイパスしたドライエアを燃料電池に供給することにより、水分の凝縮（フラッディング）に起因するＭＥＡの損傷を回避することを提案している。
【特許文献１】特開２００３−１８７８４７
【発明の開示】
【発明が解決しようとする課題】
【０００３】
しかしながら、低温始動時に単にドライエアを供給しただけでは、燃料電池内に導入される水及び燃料電池の生成水と、上記燃料電池内から外部に排出される水との収支（水収支）がゼロを上回る可能性がある。この場合には、燃料電池内に水が蓄積されてフラッディングを抑制しきれない。また、過剰にドライエアを供給すると電解質膜が乾燥して燃料電池の出力が低下して不具合である。
【０００４】
よって、本発明は冷却水温度が低い場合に燃料電池内の水収支を考慮して燃料電池の出力を制御するようにした燃料電池システムを提供することを目的とする。
【課題を解決するための手段】
【０００５】
上記目的を達成するため本発明の燃料電池システムは、燃料ガス（水素ガス）と酸化ガス（空気）との電気化学反応によって電気を発生する燃料電池システムにおいて、燃料電池の運転温度に対する該燃料電池の水収支が均衡する燃料電池の水収支出力を表す温度対水収支出力特性を記憶した記憶手段と、上記燃料電池の運転温度を検出する温度センサと、上記温度対水収支出力特性から検出した上記運転温度に対応する燃料電池の水収支出力を設定する出力設定手段と、負荷からの要求出力が上記水収支出力を越えるときに、上記燃料電池の出力が上記水収支出力を越えないように発電を制御する出力制御手段と、を備える。
【０００６】
かかる構成とすることによって、フラッディッングの生じにくい燃料電池運転を行うことが可能となる。
【０００７】
ここで、水収支は、燃料電池内に導入される水及び燃料電池の生成水と、上記燃料電池内から外部に排出される水との差である。
【０００８】
好ましくは、上記燃料電池の運転温度を該燃料電池のカソードガス出口部のガス温度又は該燃料電池の冷却水出口部の冷却水温度より得る。燃料電池内部に温度センサを設けずとも運転温度を検出できる利点がある。また、燃料電池の運転温度は、具体的には、燃料電池のスタック、ＭＥＡ等の電気化学反応部の温度が該当する。また、温度センサは適当な取付場所に設けられる。
【０００９】
更に、本発明の燃料電池システムは上記燃料電池の運転温度を調整する冷却系を備え、該冷却系に温度調整を行うヒータを備える。それにより、低温時における温度対水収支出力特性に起因する燃料電池出力の限界を運転温度増加によってより短時間で増大させることが可能となる。ヒータの電源には負荷変動に対する発電量の追従遅れなどによって生じる余剰電力の活用が望ましい。
【００１０】
また、本発明の燃料電池システムは、更に、上記燃料電池の低温起動（始動）時にカソード（空気極）側にドライエアを供給して上記燃料電池内部の水の排出を促すドライエア供給手段を備える。それによって、燃料電池内部に溜まった水を短時間で排水することが出来る。
【００１１】
また、本発明の燃料電池システムは、低温起動した燃料電池の運転温度が定常温度状態に達したときには供給空気を乾燥空気（ドライエア）から加湿空気に切替え、加湿空気を使用する通常運転状態に戻る。
【発明の効果】
【００１２】
本発明の燃料電池システムによれば、燃料電池の当該運転温度における加湿水・生成水・排出水等の水収支を考慮して燃料電池の出力を規制する制御を行うことが出来るので、より確実にフラッデイングを抑制することができる。また、ドライエアを与えながら低温で燃料電池を起動するときにより確実にフラッデイングを解消することが可能となって具合がよい。
【発明を実施するための最良の形態】
【００１３】
本発明の燃料電池の好適な実施例においては、燃料電池温度に基づいて燃料電池内の水収支がゼロ以上（余剰水発生）とならないように発電出力に制限をかけている。このため、低温始動時にドライエアを供給するようにした燃料電池システム等においてもより確実にフラッディングの除去がなされ得る。尤も、本発明は低温始動時にドライエアを供給するようにした燃料電池システムに限定されるものではない。
【実施例１】
【００１４】
まず、燃料電池システムの例について説明する。図１は本発明の第１の実施例が適用される燃料電池システムの例を示している。
【００１５】
同図に示されるように、酸化ガスとしての空気（外気）は空気供給路７１を介して燃料電池２０の空気供給口に供給される。空気供給路７１には空気から微粒子を除去するエアフィルタ１１、空気を加圧するコンプレッサ１２、供給空気圧を検出する圧力センサ５１、切替弁１３及び空気に所要の水分を加える加湿器１５が設けられている。切替弁１３は制御部５０によって動作制御され、コンプレッサ１２からの乾燥空気と加湿器１５からの加湿空気とを切替えて燃料電池２０に供給する。なお、エアフィルタには空気流用を検出するエアフローメータ（流量計）が設けられる。
【００１６】
燃料電池２０から排出される空気オフガスは排気路７２を経て外部に放出される。排気路７２には、排気圧を検出する圧力センサ５２、圧力調整弁１４及び加湿器１５の熱交換器が設けられている。圧力調整弁（減圧弁）１４は燃料電池２０への供給空気の圧力（空気圧）を設定する調圧器として機能する。圧力センサ５１及び５２の図示しない検出信号は制御部５０に送られる。制御部５０はコンプレッサ１２及び圧力調整弁１４を調整することによって供給空気圧や供給流量を設定する。
【００１７】
燃料ガスとしての水素ガスは水素供給源３０から燃料供給路７５を介して燃料電池２０の水素供給口に供給される。水素供給源３０は、例えば、気体や液体の水素を貯蔵する高圧水素タンク、水素吸蔵合金タンク、都市ガスやメタノールなどから水素ガスを生成する改質器等が該当する。燃料供給路７５には、水素供給源３０を開閉する遮断弁３１、水素供給源３０のガス圧力を検出する圧力センサ５４、燃料電池２０への水素ガスの供給圧力を調整する水素調圧弁３２、燃料供給路７５の異常圧力時に開放するリリーフ弁３９、燃料電池２０の水素ガス供給口を開閉する遮断弁３３及び燃料電池入口の供給水素ガスの圧力（アノード圧）を検出する圧力センサ５５及び温度センサ５５が設けられている。圧力センサ５５はガス圧検出手段に対応する。圧力センサ５４及び５５の図示しない検出信号は制御部５０に供給される。
【００１８】
燃料電池２０で消費されなかった水素ガスは水素オフガスとして水素循環路７６に排出され、燃料供給路７５の遮断弁４１の下流側に戻される。水素循環路７６には、水素オフガスの温度を検出する温度センサ６３、水素オフガスを排出する遮断弁３４、水素オフガスから水分を回収する気液分離器３５、回収した水を図示しないタンクに回収する排水弁３６、水素オフガスを加圧する水素ポンプ３７及び逆流阻止弁４０が設けられている。遮断弁３３及び３４は燃料電池のアノード側を閉鎖する閉鎖手段に対応する。温度センサ６３の図示しない検出信号は制御部５０に供給される。水素ポンプ３７は制御部５０によって動作が制御される。水素オフガスは燃料供給路７５で水素ガスと合流し、燃料電池２０に供給されて再利用される。逆流阻止弁４０は燃料供給路７５の水素ガスが水素循環路７６側に逆流することを防止する。
【００１９】
水素循環路７６はパージ弁３８を介してパージ流路７７によって排気路７２に接続される。パージ弁３８は電磁式の遮断弁であり、制御部５０からの指令によって作動することにより水素オフガスを外部に放出（パージ）する。このパージ動作を間欠的に行うことによって水素オフガスの循環が繰り返されて燃料極側の水素ガスの不純物濃度が増し、セル電圧が低下することを防止することができる。
【００２０】
更に、燃料電池２０の冷却水出入口には冷却水を循環させる冷却路７４が設けられる。冷却路７４には、燃料電池２０から排水される冷却水の温度を検出する温度センサ６１、冷却水の熱を外部に放熱するラジエータ（熱交換器）２１、冷却水を加圧して循環させるポンプ２２、冷却水が低温の時に必要により加熱を行うヒータ２３及び燃料電池２０に供給される冷却水の温度を検出する温度センサ６２が設けられている。
【００２１】
制御部５０は、図示しない車両のアクセル信号などの要求負荷や燃料電池システムの各部のセンサなどから制御情報を受け取り、上述した各種の弁類、ヒータ及びモータ（ポンプ）類の運転を制御する。制御部５０は図示しない制御コンピュータシステムによって構成される。これには、ＣＰＵ、ＲＡＭ、ＨＤＤ、入力インタフェース、出力インタフェースなどが含まれる。制御コンピュータシステムは公知の入手可能なシステムによって構成することが出来る。
【００２２】
図２は、制御部５０内に制御用コンピュータ及び制御プログラムによって実現される機能ブロックを示しており、水収支特性記憶部５０１、出力設定部５０２、出力制御部５０３等が形成されている。
【００２３】
水収支特性記憶部５０１は図３に示すような冷却水温度（略燃料電池の温度）対出力電流（発電電力）を予め求めてマップや関数として記憶している。この出力電流は当該温度における燃料電池運転の水収支がゼロとなる出力電流（発電電力）を示している。このようなマップを、所要の運転条件（例えば、供給空気量等）に対応して選択可能に保持している。
【００２４】
上述した燃料電池内の水収支は、「水収支＝カソード（空気極）投入水量＋発電による生成水量−カソード持ち去り水量」として定義される。カソード投入水量は供給空気中の水分量である。なお、ドライエア（加湿器１５を通さない空気）の場合には大気中の水分量が発電により生成する水量に比べて僅かであるので無視することが出来る。発電生成水量は発電電力（出力電流）に比例して生成される。生成水量を発電電力から計算することが出来る。カソード持ち去り水量はカソードの出口の空気オフガスによって燃料電池内から持ち去られる水量である。空気オフガスは水蒸気飽和状態に近いため、空気オフガスの出口温度での飽和水蒸気量として計算することが出来る。燃料電池２０内のスタック温度は冷却水によってコントロール（支配）されているため、カソード出口温度は冷却水出口の温度センサ６１の検出温度と略等しくなる。なお、燃料電池スタックを通過した空気オフガスの電池出口温度を測定してスタック温度としても良い。このようにして、予め水収支の温度対出力特性を得る。なお、水収支を参照する必要がある場合にその都度リアルタイムで水収支計算を行うようにしても良い。
【００２５】
出力設定部５０２は、要求負荷と水収支とを比較し、余剰水が発生する（水収支が正の値）か否かを判断する。要求負荷が水収支がゼロとなる出力以下であるときは、要求負荷を出力制御部５０３に伝える。要求負荷が水収支がゼロとなる出力を越えるときは、水収支がゼロとなる出力（制限出力）を出力制御部５０３に伝える。
【００２６】
出力制御部５０３は、指示された出力を発生すべく、調圧弁３２及び水素ポンプ３７を調節して所要量の水素ガスを燃料電池２０に供給する。このような水収支を考慮した制御を行うことで燃料電池２０内に生成水等が蓄積することを回避可能とする。
【００２７】
なお、後述するように、出力制御部５０３は、燃料電池の内部温度が低い状態において発電量が要求負荷を上回るとき、余剰電力を冷却水系に設けたヒータに流して冷却水温度を上げ、燃料電池を暖機して水収支に基づく許容出力電力を増加させることができる。
【００２８】
次に、本発明に係る燃料電池システムの制御動作について更に図３及び図４を参照して説明する。前述したように、図３は水収支の観点から定められた当該冷却水温度における出力制限値を示している。図４（ａ）は、ユーザの要求負荷Ｐｕ（図中点線で示される）とこれに対応する燃料電池システムの出力電流（電力）Ｐｏ（図中実線で示される）を経時的に示している。図４（ｂ）は、燃料電池起動後の冷却水温度変化の例を示している。
【００２９】
例えば、時刻ｔ0において、負荷要求Ｐｕ（Ｗ0）が制御部５０に指令される。制御部５０は、温度センサ６１の出力から冷却水温度Ｔ0を読取り、低温始動（例えば、７５℃以下）であることを判別する。切替え弁１３をドライエア側を選択させ、エアコンプレッサ１２を作動させ、調圧弁１４を調整して所定流量の空気を燃料電池２０に供給する。制御部５０は運転条件に対応したマップ（図３）を参照して温度Ｔ0における燃料電池２０の出力電流（電力）を水収支の観点からＷoに決定する。制御部２０は調圧弁３２及び水素ポンプ３７を制御して出力電流Ｗoに対応する供給水素ガス量を供給する。
【００３０】
時刻ｔ1において要求負荷ＰｕがＷ1となる。このときの冷却水温度は燃料電池２０の自己暖機によってＴ1となっている。制御部５０はマップ（図３）を参照し、水収支の点から燃料電池２０の出力電流（電力）をＷ1に制限する。制御部２０は調圧弁３２及び水素ポンプ３７を制御して出力電流Ｗ1に対応する供給水素ガス量を供給する。
【００３１】
時刻ｔ2において要求負荷ＰｕがＷ3となる。このときの冷却水温度は燃料電池２０の自己暖機によってＴ2となっている。制御部５０はマップより冷却水温度Ｔ2に対する出力電流はＷ2であることを読取り、Ｗ3＞Ｗ2であることを判別し、出力電流を水収支の観点からＷ2に決定する。制御部２０は調圧弁３２及び水素ポンプ３７を制御して制限された出力電流Ｗ2に対応する供給水素ガス量を供給する。
【００３２】
時刻ｔ3において冷却水温度は自己暖機によってＴ3に上昇する。この時点での要求負荷Ｐｕは引き続きＷ3である。制御部５０は冷却水温度がＴ3であるため、マップを参照して許容出力電流（電力）をＷ3に引き上げる。制御部２０は調圧弁３２及び水素ポンプ３７を制御して出力電流Ｗ3に対応する供給水素ガス量を供給する。
【００３３】
このような冷却水温度（燃料電池温度）に基づく出力適正化制御を繰り返して燃料電池２０内に水の余剰が生じることを防止し、フラッディングを回避する。
【００３４】
なお、制御部５０は冷却水の循環路７４に設けられたヒータ２３を用いて冷却水温度を上昇させることによって制限出力の増大を図ることが出来る。このヒータ２３の電源として燃料電池の余剰電力を活用することが出来る。
【００３５】
燃料電池の冷却水温度が上昇して定常運転温度（例えば、冷却水温度が８０度）に近づくと、制御モードを低温始動モードが定常運転モードに切替える。例えば、冷却水温度７５℃で制御部５０は切替弁１３を加湿器１５側に切替え、加湿した空気を燃料電池２０に供給する。７８℃で供給空気をストイキ制御して上述した冷却水温度に基づく出力制限運転から定常運転に移行する。
【実施例２】
【００３６】
図５及び図６は、据え置き型の燃料電池の例を概略的に説明する図である。同図において図１と対応する部分は同一符号を付し、かかる部分の説明は省略する。
【００３７】
図５に示されるように、都市ガスなどの改質原料が水素供給源としての改質器３０に供給されて水素ガスが生成される。この水素ガスは燃料電池２０に供給され、余剰の水素ガスは水素オフガスとして改質器３０の燃料とされる。燃料電池２０には図示しない空気供給系から空気（Ｏ２）が供給され、燃料電池２０は電気化学反応によって電気を発生する。発生した電気はインバータ１００によって交流に変換され、商用周波数の電源としてユーザの負荷に電力を供給する。燃料電池２０では上記化学反応の際に生じる熱から燃料電池スタックを保護するためにウォータポンプ２２ａによって冷却水が燃料電池スタックと熱交換器２１ａ間を循環している。この冷却水の循環路（燃料電池冷却水ライン）７４ａの途中に冷却水を加熱するヒータ（逆潮防止ヒータ）２３が設けられている。更に、ウォータポンプ２２ｂにより熱交換器２１ａ及び貯湯槽２５間の循環路（貯湯槽）７４ｂに水を循環させて貯湯槽２５内に温水を蓄え、給湯などに利用している。
【００３８】
図６は、図５に示した燃料電池システムの運転例を示している。図６（ａ）は、ユーザの要求負荷Ｐｕ（図中点線で示される）とこれに対応する燃料電池システムの出力電流（電力）Ｐｏ（図中実線で示される）を経時的に示している。改質器３０は、負荷要求に対して遅れて水素ガスを供給する傾向を持っている。図６（ｂ）は、燃料電池起動後の冷却水温度変化の例を示している。
【００３９】
例えば、時刻ｔ0において、燃料電池２０に要求負荷Ｗoで動作が指示される。制御部５０は冷却水が温度Ｔ0以上Ｔ1未満の低温状態では、水収支の点から燃料電池２０の出力電流（電力）をＷoに制限する。時刻ｔ1において要求負荷がＷ1となり、冷却水温度がＴ1以上Ｔ2未満となると、制御部５０は水収支の点から燃料電池２０の出力電流（電力）をＷ1に制限する。立上がりの遅れによって時刻ｔ2において燃料電池２０の出力電流（電力）がＷ1となる。時刻ｔ3において要求負荷ＰｕがＷ2となる。このとき、冷却水温度がＴ2未満であるため、制御部５０は出力電流（電力）をＷ1に制限する。時刻ｔ4において冷却水温度がＴ2を越えると、制御部５０は出力電流（電力）をＷ2に制限する。これに対応して燃料電池２０の出力電流がＷ2に増加する。時刻ｔ5において要求負荷ＰｕがＷ0と減少する。制御部５０は出力電流（電力）をＷ0に減少するが、改質器などによる動作遅れのために時刻ｔ6にＷ0に減少する。図中に斜線領域で示す時刻ｔ5及びｔ6間の余剰電力はユーザの要求負荷を越えるため通常は商用電力系統に供給される（逆潮）が、制御部５０はこの余剰電力をヒータ２３に使用して燃料電池の暖機に利用する。燃料電池の冷却水温度が上昇して定常運転温度（例えば８０度）に近づくと、例えば、冷却水温度が７５℃で供給空気に加湿を開始し、７８℃で供給空気をストイキ制御して上述した冷却水温度に基づく出力制限運転から定常運転に移行する。
【００４０】
このように、化石燃料を改質する改質器を用いる燃料電池システムにおいて改質器の応答遅れ等に起因する発生電力の遅れ（余剰）が発生すると、商用電力系統に逆潮する可能性があるため、その間、逆潮防止用ヒータ２３にて余剰電力分を熱として消費する。この熱を燃料電池冷却水に与えて冷却水の定常運転温度への昇温が促進される。
【００４１】
以上説明したように、本発明の実施例によれば、燃料電池の低温駆動時において燃料電池の冷却水温度により、発電電力を制限し、生成水量を増大させないことによってフラッディングを抑制することが出来、燃料電池の安定な起動が可能となる。
【００４２】
また、余剰電力をヒータに与えて冷却水を加熱して早期に暖機をすることによって、出力が制限される時間が短縮され、燃料電池システムとしての効率向上が図られる。
【００４３】
また、初期にヒータ、燃焼器にて燃料電池の冷却水を暖機する方法に比べて、ユーザに電力供給しながら燃料電池の自己発熱による暖機＋逆潮（商用電力供給網への電力供給）防止で電力を変換した熱を利用した暖機であるため、起動エネルギの著しい低下が望める。
【００４４】
また、高効率発電を目的とする定置用燃料電池システム等においては、低圧損化による補機動力低減を図っている。燃料電池に供給する空気に関してもブロワ程度の低吐出圧力の補機を使用する。このため、燃料電池内でフラッディングが生じると燃料電池内で凝縮した水を押し出す力もなく、電圧低下、発電不能の状態になる。特に、燃料電池が低温の段階で発電を開始し、燃料電池の発熱にて自己暖機をするシステムにおいては、燃料電池低温時の上記課題が問題となる。そこで、上述のような冷却水温度で発電電力を制限し、生成水量を増大させないことによってフラッディングを抑制する手法が有効となる。
【００４５】
なお、燃料電池システムは車載（移動）型、据え置き型のいずれであっても良い。
【図面の簡単な説明】
【００４６】
【図１】燃料電池システムの構成を説明するブロック図である。
【図２】制御部５０の構成例を説明する機能ブロック図である。
【図３】冷却水温度燃料電池温度）対水収支特性を説明するグラフである。
【図４】低温状態からの起動例を説明するグラフである。
【図５】他の実施例を説明する説明図である。
【図６】余剰電力の活用例を説明するグラフである。
【符号の説明】
【００４７】
１２  エアコンプレッサ、１３  流路切替弁、１５  加湿器、２０  燃料電池、２１  熱交換器（ラジエータ）、２２  冷却水ポンプ、２３  冷却水加熱ヒータ、３０  水素供給源、３７  水素ポンプ、６１，６２，６３  温度センサ、５０  制御部
【図１】
2005285610.tif 000003
【図２】
2005285610.tif 000004
【図３】
2005285610.tif 000005
【図４】
2005285610.tif 000006
【図５】
2005285610.tif 000007
【図６】
2005285610.tif 000008